(57)【要約】  開き戸を開口及び保持する装置であって、１点家具の被覆壁に蝶着され、この開き戸を徐々に閉口するものを開示する。このロッド装置は、他の公知の装置と比較して、非常にコンパクトなものである。また、適当でない緩みを生じることなく、経済的で、信頼性が高く、長期にわたって正確な動作を保証に行うものである。有利なことに、本発明の装置は、１点家具に対してこのドアに調節機構を設けた場合であっても、特に機能的である。
2009511793.tif 000002
【特許請求の範囲】
【請求項１】
１点家具上に取り付けられるのに適した、開き戸（１）用の開口装置であって、
前記１点家具は、前記開き戸（１）と、第１壁（２）と、該第１壁（２）に垂直な第２壁（４）とを有し、前記開き戸（１）は、前記第２壁（４）に少なくとも垂直であり、且つ前記第１壁（２）に垂直な個々の回転軸（Ｘ）を規定し、
当該開口装置は、個々の開口位置及び閉口位置を規定し、前記開口位置は、１点家具に対して、開き戸の開口位置に対応し、前記閉口位置は、１点家具に対して、開き戸の閉口位置に対応し、且つ
前記開き戸は、その閉口位置において、前記第１壁との所定の第１角度を規定し、
当該装置は：
前記第２壁（４）に固定されるのに適し、第１固定ピン（７）を有する第１プレート（５）と；
第１端で前記第１固定ピン（７）に蝶着され、第２端で第１移動ピン（１８）に蝶着された、第１長を有する第１アーム（８）と；
前記第１移動ピン（１８）によって第１端で前記第１アーム（８）に蝶着され、第２固定ピン（２３）によって第２端で前記開き戸（１）に回転可能に固定されるのに適した、第２長を有する第２アーム（１９）と；
を有し、
前記開き戸（１）に面する側面上で、前記第１アーム（８）と第２アーム（１９）との間で形成される第２角度は、前記開き戸の閉口位置において、０°よりも大きく、且つ開き戸が開口状態にある場合には、１８０°よりも小さく、閉口位置からの所定の値を最大とした角度までの角度であることを特徴とする装置。
【請求項２】
前記の所定の値は、０°から３０°であることを特徴とする請求項１に記載の装置。
【請求項３】
前記開き戸の閉口位置において、１点家具上に取り付けられる場合、前記開き戸からの前記第１移動ピン（１８）の距離は、前記開き戸からの前記第２固定ピン（２３）の距離よりも大きく、且つ該開き戸からの前記第１固定ピン（７）の距離よりも小さいことを特徴とする請求項１又は２に記載の装置。
【請求項４】
開き戸の開口／閉口の間、前記第１アーム（８）に作用するように、第１端で、前記第１プレート（５）上に設けた第３固定ピン（９）に蝶着され、且つ、第２端で、前記第１固定ピン（７）と前記第１移動ピン（１８）との間の前記第１アーム（８）上に固定された第２移動ピン（１１）に蝶着された、収縮して配置された状態で第３長を有する伸縮手段（１０）をさらに有することを特徴とする請求項３に記載の装置。
【請求項５】
前記第１固定ピン及び第３固定ピン（７、９）は、回転軸（Ｘ）と前記の所定の第１角度の二等分線とを有する平坦表面と、閉口状態の前記開き戸（１）との間に配置されることを特徴とする請求項４に記載の装置。
【請求項６】
前記第２長は、前記第１長よりも短いことを特徴とする請求項１に記載の装置。
【請求項７】
前記開き戸に対して、前記第２固定ピン（２３）の位置を少なくとも１つの方向に調節する第１調節手段を設けたことを特徴とする請求項６に記載の装置。
【請求項８】
前記第１調節手段は、マウントプレート（２１）と、前記第２固定ピン（２３）に固定される第２プレート（２２）とを有し、該マウントプレート（２１）に、カム（２７、３１）を設けたことを特徴とする請求項７に記載の装置。
【請求項９】
前記マウントプレート（２１）は、前記第２プレート（２２）を前記マウントプレート（２１）と結び付ける放出連結手段（３４、３５、３６）を有することを特徴とする請求項８に記載の装置。
【請求項１０】
前記第１プレート上に（５）、前記開き戸（１）の減速手段（１４）を設けたことを特徴とする請求項１乃至９のいずれか一項に記載の装置。
【請求項１１】
前記減速手段（１４）は、シリンダー−ピストン系を含むことを特徴とする請求項１０に記載の装置。
【請求項１２】
前記第１アーム（８）は、閉口動作中に前記減速手段（１４）を駆動するのに適した突起（１２）を前記第１固定ピン（７）の近傍に設けられることを特徴とする請求項１０に記載の装置。
【請求項１３】
開口されるのに適したドアと、請求項１乃至１１のいずれか一項に記載の開口装置とを有する、１点家具であって、
前記第１壁（２）に対して、前記回転軸（Ｘ）の位置を調節する第２調節手段（３）を設けたことを特徴とする１点家具。
【請求項１４】
前記第２調節手段は、ヒンジであることを特徴とする請求項１３に記載の１点家具。
【発明の詳細な説明】
【技術分野】
【０００１】
本発明は、１点家具（ｐｉｅｃｅ  ｏｆ  ｆｕｎｉｔｕｒｅ）の開き戸を開口し且つ保持する装置に係り、特に、それほど奥行きのない１点家具に導入するのに適するものである。
【背景技術】
【０００２】
１点家具の、回転し且つ傾斜する扉用の開口保持装置のいくつかは、公知である。特許文献１は、その装置のひとつについて述べている。この装置は、家具本体、好ましくは被覆壁（ｃｏｖｅｒｉｎｇ  ｗａｌｌ）に接続されたレバーからなり、その自由端は、ドアの内面上のレール上を摺動する。このレバーは、ガススプリングなどの伸縮装置によって駆動される。そのリーフは、２つの折れ戸（ｆｏｌｄｉｎｇ  ｄｏｏｒ）からなり、上部ドアに対して下部のドアの移動が、１点家具の側壁に固定された鉛直ガイドの少なくとも１つのスライドにより案内される。同様の装置は、単一のドアを有するリーフにも使用可能であって、スライド及びサイドガイドは、不要である。
【０００３】
単一の開き戸用の開口装置の他の例は、特許文献２に述べられている。この開口装置は、１点家具の側面に固定され、この場合も、レバーの自由端用のスライドがある。
【０００４】
上述に類する装置は、長時間の経過で、いくつかの欠点を有し、例えば、静粛で正確な動作に影響を及ぼし得る摺動部品間の緩み（ｂａｃｋｌａｓｈ）などがあり、特に、装置が完全に取り付けられていない場合、顕著である。
【０００５】
これらの問題の克服を試みる装置の例は、特許文献３に述べられている。
【０００６】
単一又は二重の開き戸用に使用され得るこの開口装置において、伸縮装置によって駆動されるロッドは、この場合、共に連結される２つの部品からなり、第２の部品の最外側の端部は、自在軸受け接合部によって、このドアの内面上の固定部材に接続される。しかしながら、ガススプリングの位置決め、及びロッドを有するこの２つの部品の寸法が１点家具の内部でこの装置が不格好すぎて、特に、深さの点で顕著であるという欠点がある。
【０００７】
従って、上述の問題を克服し得る開き戸を開口し且つ保持する先進的な装置を提供する必要がある。
【特許文献１】欧州特許第０７９４３０９号明細書
【特許文献２】西独国実用新案第７７０５２８５号明細書
【特許文献３】欧州特許第１２５８５８６号明細書
【発明の開示】
【発明が解決しようとする課題】
【０００８】
本発明の主要な目的は、１点家具の被覆壁（ｃｏｖｅｒｉｎｇ  ｗａｌｌ）に蝶着された、開き戸を開口し且つ保持するための非常にコンパクトな装置を提供することであって、これは、それほど奥行きのない１点家具に使用するのに特に適する。
【０００９】
本発明の装置の他の目的は、摺動部品が存在しないので、適当でない緩み（ｂａｃｋｌａｓｈ）を生じることなく、このドアを徐々に且つ静寂に閉口することを保証するとともに、信頼性が高く、長期間の間、正確な動作を保証することである。
【００１０】
本発明の装置のさらに別の目的は、１点家具の本体に対して、この開き戸の位置を調節しつつ機能的であることを保証することである。
【課題を解決するための手段】
【００１１】
従って、本発明は、開き戸用の開口装置を製造することにより、上述の目的を達成することを提案するものであって、この装置は、１点家具上に取り付けられるのに適した、開き戸用の開口装置であって、前記１点家具は、前記開き戸と、第１壁と、該第１壁に垂直な第２壁とを有し、前記開き戸は、前記第２壁に少なくとも垂直であり、且つ前記第１壁に垂直な個々の回転軸を規定し、当該開口装置は、個々の開口位置及び閉口位置を規定し、前記開口位置は、１点家具に対して、開き戸の開口位置に対応し、前記閉口位置は、１点家具に対して、開き戸の閉口位置に対応し、且つ前記開き戸は、その閉口位置において、前記第１壁との所定の第１角度を規定し、当該装置は：前記第２壁に固定されるのに適し、第１固定ピンを有する第１プレートと；第１端で前記第１固定ピンに蝶着され、第２端で第１移動ピンに蝶着された、第１長を有する第１アームと；前記第１移動ピンによって第１端で前記第１アームに蝶着され、第２固定ピンによって第２端で前記開き戸に回転可能に固定されるのに適した、第２長を有する第２アームと；を有し、前記開き戸に面する側面上で、前記第１アームと第２アームとの間で形成される第２角度は、前記開き戸の閉口位置において、０°よりも大きく、且つ開き戸が開口状態にある場合には、１８０°よりも小さく、閉口位置からの所定の値を最大とした角度までの角度であることを特徴とする。
【００１２】
この所定の角度は、有利なことに、０〜３０°の範囲である。
【００１３】
ガススプリングなどの伸縮部材によって駆動され得るロッド又はレバーは、ロッドより明らかに短い中間振動部材によって、開き戸に接続される。この中間振動部材は、その一側面上で、ロッドの自由端に蝶着され、他端で固定手段に蝶着され、開き戸の内面上に強固に固定される。
【００１４】
有利なことに、中間振動部材は、開き戸が開口位置にある場合、ロッドの関節軸（ａｒｔｉｃｕｌａｔｉｏｎ  ａｘｉｓ）間の第１距離と、中間振動部材の関節軸間の第２距離との合計が、１点家具上のロッドの関節軸と開き戸上の中間振動部材の関節軸との間の第３距離よりも若干大きいように、且つ上記の第１距離と第２距離の差は、開き戸が閉口位置にある場合、上記の第３距離よりも若干小さいように、寸法付けされる。これらの部品の斯かる寸法付けのおかげで、中間振動部材は、開口位置においてロッドの伸張を構成する一方で、閉口位置に折り畳まれ、本発明の装置の寸法を最小限のものと削減することとなる。
【００１５】
ガススプリング及びその他の伸縮手段の、収縮して配置した場合の長さは、ロッドの長さよりも大きくてもよく、或いは小さくてもよく、これは、中間振動部材の長さよりも常に長い。
【００１６】
有利なことに、開き戸に向かい合う側面上でのロッドと中間振動部材との間で形成された角度は、閉口位置で０°よりも若干大きく、且つ開き戸が固着せずに振動し得る幅に開口された位置において、１８０°よりも若干小さい。ロッドと中間振動部材とのこの角度は、開き戸の閉口位置において、１０°〜３０°の範囲であり、開口位置においては、１５０°〜１７０°の範囲である。
【００１７】
その他の利点としては、種々の摺動部材がないことであり、本発明の装置が弱くなることを避けることができる。その理由は、緩みがなく、従って、信頼性が高いためである。公知の型の減速機を使用すると、１点家具の開き戸を徐々に閉口し得るようになる。
【００１８】
１点家具に対して開き戸の位置を最適に調節するため、開き戸の中間振動部材の枢動ピンは、中間振動部材の固定手段上に格納され、この固定手段は、開き戸に対して、少なくとも垂直方向に有利に調節可能とするものであって、図４に示すように、開き戸の閉口の配置を考慮したものである。好ましくは、枢動ピンを支持するこの固定手段は、公知の型のヒンジ用のマウントベースを含む。好適な変法において、このマウントベースには、カムによって可動で、所望の位置で固定され得る長手方向の中間プレートが設けられる。このプレートには、放出連結装置を有利に設けてもよく、これにより、追加のプレートへの固定が容易となり、中間振動部材に適当に設けられ、接続されることとなる。
【００１９】
マウントベースによって可能となるこの少なくとも垂直方向の調節のおかげで、装置の設定における可能な変更、及び伸縮部材によって提供されるトルクは、例えば、開き戸を１点家具に接続するヒンジの位置が開き戸、又は隣り合う１点家具の部品との関係で、調節される際、補填され得る。また、装置の正確な設定は、減速機の正確な動作を保証する。
【００２０】
有利なことに、開き戸を１点家具に接続するヒンジは、開口装置から分離される。垂直軸を有するドアに通常使用されるこれらのヒンジは、３つのデカルト軸に沿った調節を可能とする。特に、垂直軸を有する開き戸に対する横方向の調節は、開き戸の場合、垂直方向に調節可能となり、且つ特に、ガススプリング又はその他の適当な伸縮装置によって提供されるトルクを改変／最適化するように、閉口位置とする開口装置の設定に影響し得る。
【００２１】
添付の特許請求の範囲は、本発明の好適実施例について言及するものである。
【発明を実施するための最良の形態】
【００２２】
本発明の他の特徴及び利点は、限定することを意図しない例によって図示した回転開き戸を開口するための装置に関する、排他的でない好適実施例について、添付の図面とともに詳細な記載を考慮することにより、明らかとなろう。
【００２３】
図面を参照すると、開き戸を開口し且つ保持する装置の代表例を示しており、この装置は：
ガススプリング又は単純なつる巻きバネなどの、可能な伸縮手段１０と、
ロッド又はレバー８と、
レバー８を開き戸１に固定する固定手段２１と、
レバー８を固定手段２１に接続する中間振動部材１９と、
を有する。
【００２４】
開き戸１は、例えば、関節様の四辺形型（ａｒｔｉｃｕｌａｔｅｄ  ｑｕａｄｒｉｌａｔｅｒａｌ  ｔｙｐｅ）のヒンジ３によって、３つのデカルト軸に沿った可能な調節部材とともに、１点家具の被覆壁２に接続される。装置のレバー８用のヒンジピン又はてこ台７と、ガススプリング１０の一端を固定するピン又はてこ台９とを有する支持体又はプレート５は、スクリュー６によって、１点家具の側壁４に接続される。ガススプリング１０の他端は、レバー８の一体部を形成するピン１１に蝶着される。
【００２５】
有利なことに、１点家具の内部において装置の空間的な妨害を最小限とすることを保証するため、ピン又はてこ台７、９は、閉口状態の開き戸１と、符号Ｘ、開き戸の旋回方向とともに被覆壁２と閉口状態の開き戸１との間の角度の二等分線を含む平面との間に適合される。
【００２６】
支持体５を側壁４に固定するための穴（ｈｏｌｅ）の位置及びレイアウトは、例えば、二重の開き戸などに適した異なる開口装置を固定するのに適して、他の同様の支持体との相互交換可能なように、設定される。
【００２７】
支持体５とピン７との連結領域の近傍のレバー８は、ブラケット様の突起１２を有し、レバーの本体と直角をなす。閉口位置の開き戸において、この突起１２は、公知の型の減速装置１４の突出ステム１３を押圧し、この減速装置１４は、好ましくは、制動効果を得るようにスロットバルブを介して流動させる流動体を充填したシリンダー−ピストン系を有する。この減速装置１４の例を図５に示しており、支持体５の角の近傍の突出シリンダー部品１５の内部に圧力下で配置され、突出ステム１３がレバー８の突起１２によって押圧される際に、開き戸の閉口動作を減速しつつ、反対方向への自由な開口動作を可能とする。
【００２８】
閉口位置にある開き戸におけるガススプリング１０は、閉口方向のレバーに作用するモーメントを発生する押力を、順に与える。他方、開口中、死点を過ぎた後、ガススプリングは、開き戸を完全に開口しこの位置に保持するように、レバー８を押圧するモーメントを発生する。
【００２９】
図２に示すレバー８は、その端部に、ほぞ穴１６、１７を有し、それぞれは、支持体５の枢動ピン７、及び中間振動部材１９の枢動ピン１８によって、自在軸受けの様式で接続される。中間振動部材１９は、順に、その他端において、蝶着手段２０によって、開き戸の固定手段に接続され、開き戸１の内面上に固定される。
【００３０】
この固定手段は、ヒンジを１点家具の側面に固定するのに使用するマウント２１を好ましく有し、この上にマウントプレート２２が適合され、中間振動部材１９用の枢動ピン２３が設けられている。
【００３１】
図１から明らかなように、開き戸の開口位置において、枢動ピン７と枢動ピン１８との間の距離、及び枢動ピン１８と枢動ピン２３との間の距離の合計は、枢動ピン７と枢動ピン２３との距離よりも若干大きく、レバー８及び中間振動部材１９は、開き戸１に向かい合う側面上において、１８０°よりも若干小さい正の角度を形成しており、この正の角度は、有利なことに、１５０〜１７０°である。
【００３２】
他方、図４から明らかなように、ピン７と枢動ピン１８との距離と、枢動ピン１８と枢動ピン２３との距離との差は、ピン７と枢動ピン１８との距離よりも、若干小さく、レバー８及び中間振動部材１９は、０°よりも若干大きな正の鋭角を形成しており、この正の角度は、有利なことに、１０〜３０°である。図１における破線Ｙを考慮すると、曲線矢印６０は、レバー８と中間振動部材１９との間の正の角度が増加する方向を示す。
【００３３】
有利なことに、閉口位置の開き戸において、図４に示すように、開口装置が１点家具上に取り付けられる際、開き戸１からの枢動ピン１８の距離は、この開き戸からの枢動ピン２３の距離よりも大きく、且つ同じ開き戸に対する枢動ピン７の距離よりも小さい。この配置によって、このシステムの非常な小型化を実現し、１点家具の内部に対して非常に限定された空間のみを占有することとなり、且つ可能性のある混雑を排除することとなる。この事実は、レバー８に、実質的に閉口な位置にある開口装置又は振動装置に対して、ガススプリング１０を１点家具の内部に実質的に垂直に配列するように配置することにより、さらに強調される。
【００３４】
有利なことに、枢動ピン２３を有するマウントプレート２２は、開き戸１が閉口位置において少なくとも垂直方向に調節され得るので、マウント２１上に格納される。
【００３５】
図９及び図１０に示す例において、マウント２１は：
スクリュー（図示せず）によって開き戸１に固定され得る、サブベース２５と；
カム２７によって、図面のシートの横方向に平行なガイド２８及び２９に沿ってサブベース２５上を移動するベースプレート２６と；
閉口位置の開き戸１の垂直方向に対応する長手方向に、ガイド３２及び３３に沿って、カム３１によってサポートプレート２６上を移動され得る上部プレート３０と；
から有利に構成される。
【００３６】
上部プレート３０には、横方向に突出する前ピン３４と、横方向に切断された円錐ストップ３５と、ピン３７の周囲で振動し且つスプリング３８で駆動される後部フック歯３６とが設けられる。中間振動部材１９に接続されたマウントプレート２２は、前ピン３４及び円錐ストップ３５と結び付けるための、対応する開口部又はキャビティー４０及び４１を有し、これらは、前ピン３４上にキャビティー４０を挿入することにより、前にフック掛け可能となり、傾斜平坦表面４３から後方に移動された後、開口部４１を円錐ストップ３５の周囲に適合するように、且つ後部フック歯３６を上部から後部突出４２へと適合するように、後方に回転され得る。固定手段のこの配置は、マウントプレート２２をマウント２１に簡単に連結可能となる。しかしながら、調節が可能な限りは、開き戸に固定するのに、スクリューによる適合などの、より経済的なそれほど複雑でない手段を使用してもよい。
【００３７】
図７及び図８は、本発明の装置に設定された、１点家具に対してドアの位置を上方及び下方に調節する効果を強調するものである。この調節機能は、１点家具の被覆壁２に対して、ドア回転軸Ｘの位置を変更し得るヒンジ３によって、達成される。
【００３８】
図７及び図８は、ガススプリング１０に低いトルクをかけ、且つ減速装置１４の突出ステム１３をより小さい程度で圧縮するように、開き戸１に近接した閉口位置にロッド又はレバー８を作動して開き戸を上方に調節する様子を比較したものである。
【００３９】
他方、開き戸１の下方への調節は、レバー８を開き戸１から離れる方向に移動させ、突出ステム１３を完全に圧縮し、ガススプリングに、より高いトルクをかける。図８の破線は、枢動ピン２３が位置２３’に移動し、且つ枢動ピン１８が図４に示す装置の位置に対応する位置１８’に移動するように、マウントプレート２２によって装置が再配置され得る様子を示す。位置１８’は、枢動ピン７に対するレバー８の振動と、枢動位置２３’に対する枢動ピン１８の振動とによりそれぞれ規定される、アーチ５０、５１’の交差によって、同定される。アーチ５１は、枢動ピン２３に対する枢動ピン１８の振動によって、規定される。
【図面の簡単な説明】
【００４０】
【図１】開口状態の本発明の装置の側面図を示す。
【図２】図１の装置の第１構成材の側面図を示す。
【図３】図１の装置の第２構成材の断面図を示す。
【図４】閉口状態の本発明の装置の側面図である。
【図５】図１の装置の第３構成材の側面図を示す。
【図６】図１の装置の第４構成材の側面図を示す。
【図７】本発明による装置の側面図であって、ドアの位置が上方に調節された状態を示す。
【図８】本発明による装置の側面図であって、ドアの位置が下方に調節された状態である。
【図９】本発明の装置の第５構成材の断面図を示す。
【図１０】本発明の装置の第６構成材の断面図を示す。
【符号の説明】
【００４１】
１        開き戸
２        被覆壁
３        ヒンジ
４        側壁
５        支持体
６        スクリュー
７        てこ台
８        レバー
９        てこ台
１０      ガススプリング
１１      ピン
１２      突起
１３      突出ステム
１４      減速装置
１５      突出シリンダー部品
１６      ほぞ穴
１７      ほぞ穴
１８      枢動ピン
１８’    位置
１９      中間振動部材
２０      蝶着手段
２１      固定手段
２２      マウントプレート
２３      枢動ピン
２３’    位置
２５      サブベース
２６      ベースプレート
２７      カム
２８      ガイド
２９      ガイド
３０      上部プレート
３１      カム
３２      ガイド
３３      ガイド
３４      前ピン
３５      円錐ストップ
３６      後部フック歯
３７      ピン
３８      スプリング
４０      開口部
４１      開口部
４２      後部突出
４３      傾斜平坦表面
５０      アーチ
５１      アーチ
５１’    アーチ
６０      曲線矢印
Ｘ        ドア回転軸
Ｙ        破線
【図１】
2009511793.tif 000003
【図２】
2009511793.tif 000004
【図３】
2009511793.tif 000005
【図４】
2009511793.tif 000006
【図５】
2009511793.tif 000007
【図６】
2009511793.tif 000008
【図７】
2009511793.tif 000009
【図８】
2009511793.tif 000010
【図９】
2009511793.tif 000011
【図１０】
2009511793.tif 000012
【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
１点家具上に取り付けられるのに適した、開き戸（１）用の開口装置であって、
前記１点家具は、前記開き戸（１）と、第１壁（２）と、該第１壁（２）に垂直な第２壁（４）とを有し、前記開き戸（１）は、前記第２壁（４）に少なくとも垂直であり、且つ前記第１壁（２）に垂直な個々の回転軸（Ｘ）を規定し、
前記開き戸は、その閉口位置において、前記第１壁との所定の第１角度を規定し、
当該開口装置は、個々の開口位置及び閉口位置を規定し、前記開口位置は、１点家具に対して、開き戸の開口位置に対応し、前記閉口位置は、１点家具に対して、開き戸の閉口位置に対応し、
当該装置は：
前記第２壁（４）に固定されるのに適し、第１固定ピン（７）を有する第１プレート（５）と；
第１端で前記第１固定ピン（７）に蝶着され、第２端で第１移動ピン（１８）に蝶着された、第１長を有する第１アーム（８）と；
前記第１移動ピン（１８）によって第１端で前記第１アーム（８）に蝶着され、第２固定ピン（２３）によって第２端で前記開き戸（１）に回転可能に固定されるのに適した、第２長を有する第２アーム（１９）と；
を有し、
前記開き戸（１）に面する側面上で、前記第１アーム（８）と第２アーム（１９）との間で形成される第２角度は、前記開き戸の閉口位置において、０°よりも大きく、且つ開き戸が開口状態にある場合には、１８０°よりも小さく、閉口位置からの所定の値を最大とした角度までの角度であり、
前記開き戸に対して、前記第２固定ピン（２３）の位置を少なくとも１つの方向に調節する第１調節手段を設け、
前記第１調節手段は、マウントプレート（２１）と、前記第２固定ピン（２３）に固定される第２プレート（２２）とを有し、該マウントプレート（２１）に、カム（２７、３１）を設け、
前記マウントプレート（２１）は、前記第２プレート（２２）を前記マウントプレート（２１）と結び付ける放出連結手段（３４、３５、３６）を有し、
前記第１アーム（８）は、閉口動作中に前記減速手段（１４）を駆動するのに適した突起（１２）を前記第１固定ピン（７）の近傍に設けられることを特徴とする装置。
【請求項２】
前記の所定の値は、０°から３０°であることを特徴とする請求項１に記載の装置。
【請求項３】
前記開き戸の閉口位置において、１点家具上に取り付けられる場合、前記開き戸からの前記第１移動ピン（１８）の距離は、前記開き戸からの前記第２固定ピン（２３）の距離よりも大きく、且つ該開き戸からの前記第１固定ピン（７）の距離よりも小さいことを特徴とする請求項１又は２に記載の装置。
【請求項４】
開き戸の開口／閉口の間、前記第１アーム（８）に作用するように、第１端で、前記第１プレート（５）上に設けた第３固定ピン（９）に蝶着され、且つ、第２端で、前記第１固定ピン（７）と前記第１移動ピン（１８）との間の前記第１アーム（８）上に固定された第２移動ピン（１１）に蝶着された、収縮して配置された状態で第３長を有する伸縮手段（１０）をさらに有することを特徴とする請求項３に記載の装置。
【請求項５】
前記第１固定ピン及び第３固定ピン（７、９）は、回転軸（Ｘ）と前記の所定の第１角度の二等分線とを有する平坦表面と、閉口状態の前記開き戸（１）との間に配置されることを特徴とする請求項４に記載の装置。
【請求項６】
前記第２長は、前記第１長よりも短いことを特徴とする請求項１に記載の装置。
【請求項７】
前記第１プレート上に（５）、前記開き戸（１）の減速手段（１４）を設けたことを特徴とする請求項１乃至６のいずれか一項に記載の装置。
【請求項８】
前記減速手段（１４）は、シリンダー−ピストン系を含むことを特徴とする請求項７に記載の装置。
【請求項９】
開口されるのに適したドアと、請求項１乃至８のいずれか一項に記載の開口装置とを有する、１点家具であって、
前記第１壁（２）に対して、前記回転軸（Ｘ）の位置を調節する第２調節手段（３）を設けたことを特徴とする１点家具。
【請求項１０】
前記第２調節手段は、ヒンジであることを特徴とする請求項９に記載の１点家具。
【国際調査報告】
2009511793.tif 000013
2009511793.tif 000014
2009511793.tif 000015